(57)【要約】【課題】撮影者が撮影時の状況を容易に想起できるような情報を画像と対応づけて記録する。【解決手段】環境情報センサ１５１ａは、シャッタボタン１０２の半押し操作に連動して環境情報をＣＰＵ１１２に出力する。ＣＰＵ１１２はシャッタボタン１０２の全押し操作の解除に連動してExifファイルのヘッダ部分の所定のタグ（Imagedescriptionタグなど）に環境情報・配信情報・音声ＩＤを記録する。Exifファイルには、環境情報及び配信情報や音声ＩＤが記録されているため、後日画像を鑑賞する際に、その環境情報及び配信情報や音声ＩＤに対応する音声の内容を参照すれば、撮影者が撮影時の状況を容易に想起でき、思い出深い画像記録が可能になる。【選択図】  図２
2006086823.tif 000002
【特許請求の範囲】
【請求項１】
周囲の環境から物理的に観測可能な情報である環境情報を検出する環境情報検出部と、
撮像指示に応じて画像を撮像する撮像部と、
前記画像と前記環境情報とを対応づけて記憶する記憶部と、
を備える画像記録装置。
【請求項２】
前記画像の検索条件として環境情報の指定を受け付ける指定部と、
前記指定された環境情報に対応する画像を検索する検索部と、
をさらに備える請求項１に記載の画像記録装置。
【請求項３】
撮影者の生体情報である撮影者情報を検出する生体情報検出部と、
撮像指示に応じて画像を撮像する撮像部と、
前記画像と前記撮影者情報とを対応づけて記憶する記憶部と、
を備える画像記録装置。
【請求項４】
周囲の環境から物理的に観測可能な情報である環境情報を検出する環境情報検出ステップと、
撮像指示に応じて画像を撮像する撮像ステップと、
前記画像と前記環境情報とを対応づけて記憶する記憶ステップと、
前記画像の検索条件として環境情報の指定を受け付ける指定ステップと、
前記指定された環境情報に対応する画像を検索する検索ステップと、
を含む画像検索方法。
【請求項５】
撮影者の生体情報である撮影者情報を検出する生体情報検出ステップと、
撮像指示に応じて画像を撮像する撮像ステップと、
前記画像と前記撮影者情報とを対応づけて記憶する記憶ステップと、
前記撮影者情報に基づいて対応する画像の採点を行う採点ステップと、
前記採点の結果を表示する表示ステップと、
を含む画像採点方法。
【請求項６】
前記採点ステップは前記撮影者情報に基づいて画像の撮影の冷静さを採点する請求項５に記載の画像採点方法。
【請求項７】
撮影者の生体情報である撮影者情報を検出する生体情報検出部と、
撮像指示に応じて画像を撮像する撮像部と、
前記画像と前記撮影者情報とを対応づけて記憶する記憶部と、
前記撮影者情報に基づいて対応する画像の採点を行う採点部と、
前記採点の結果を表示する表示部と、
を備える画像採点システム。
【請求項８】
前記採点部は前記撮影者情報に基づいて画像の撮影の冷静さを採点する請求項７に記載の画像採点システム。
【発明の詳細な説明】
【技術分野】
【０００１】
本発明は画像記録装置、画像検索方法、画像採点方法及び画像採点システムに係り、特に画像に各種情報を対応させて記録する技術に関する。
【背景技術】
【０００２】
従来、画像記録時に各種情報を取得する技術が様々開発されている。例えば、特許文献１によると、シャッタボタンが押下され、ＧＰＳセンサにより現在位置の取得が可能な場合は、撮像処理を行い、現在位置を外部通信によって取得するとともに、現在日時を取得する。次に、ネットワークに接続された天気情報サーバにアクセスし、取得した現在位置及び現在日時を送信し、これに対応する天気情報を天気情報サーバから受信し、受信した天気情報に基づいて撮影画像をホワイトバランス補正する。現在位置を取得できない場合には、ストロボ発光させて撮像処理を行う。
【特許文献１】特開２００３−２４４７０９号公報
【発明の開示】
【発明が解決しようとする課題】
【０００３】
上述の特許文献１の技術では、撮影時にＧＰＳ情報や天気情報を取得するが、これらの情報を撮影者が後日参照して撮影時の状況を想起するのは困難である。本発明はこのような問題点に鑑みてなされたもので、撮影者が撮影時の状況を容易に想起できるような情報を画像と対応づけて記録することを目的とする。
【課題を解決するための手段】
【０００４】
上述の課題を解決するため、本願発明に係る画像記録装置は、周囲の環境から物理的に観測可能な情報である環境情報を検出する環境情報検出部と、撮像指示に応じて画像を撮像する撮像部と、画像と環境情報とを対応づけて記憶する記憶部と、を備える。
【０００５】
この画像記録装置は、周囲の環境から物理的に観測可能な情報である環境情報と画像とを対応づけて記憶する。この環境情報を参照すれば、画像を撮影した時の状況の想起が容易になり、思い出深い画像記録を行うことができる。また、この環境情報に基づき、画像の整理・分類・検索が容易となる。
【０００６】
この画像記録装置は、画像の検索条件として環境情報の指定を受け付ける指定部と、指定された環境情報に対応する画像を検索する検索部とをさらに備えていてもよい。
【０００７】
環境情報に基づいて画像を検索することで、所望の画像の特定が容易になる。
【０００８】
また、上述の課題を解決するため、本願発明に係る画像記録装置は、撮影者の生体情報である撮影者情報を検出する生体情報検出部と、撮像指示に応じて画像を撮像する撮像部と、画像と撮影者情報とを対応づけて記憶する記憶部と、を備える。
【０００９】
この画像記録装置は、撮影者の生体情報である撮影者情報を画像と対応づけて記憶する。この撮影者情報を参照すれば、画像撮影時の撮影者の状態の想起が容易となる。
【００１０】
本願発明に係る画像検索方法は、周囲の環境から物理的に観測可能な情報である環境情報を検出する環境情報検出ステップと、撮像指示に応じて画像を撮像する撮像ステップと、画像と環境情報とを対応づけて記憶する記憶ステップと、画像の検索条件として環境情報の指定を受け付ける指定ステップと、指定された環境情報に対応する画像を検索する検索ステップと、を含む。
【００１１】
この画像検索方法は、画像の検索条件として環境情報の指定を受け付け、本願発明に係る画像記録装置などで記録された画像から、指定された環境情報に対応する画像を検索することで、画像の検索を容易にすることができる。
【００１２】
本願発明に係る画像採点方法は、撮影者の生体情報である撮影者情報を検出する生体情報検出ステップと、撮像指示に応じて画像を撮像する撮像ステップと、画像と撮影者情報とを対応づけて記憶する記憶ステップと、撮影者情報に基づいて対応する画像の採点を行う採点ステップと、採点の結果を表示する表示ステップと、を含む。
【００１３】
この画像採点方法は、本願発明に係る画像記録装置などで記録された撮影者情報に基づいて対応する画像の採点を行う。即ち、画像撮影時の撮影者の状況に応じて画像を採点できる。
【００１４】
上記採点ステップは撮影者情報に基づいて画像の撮影の冷静さを採点してもよい。
【００１５】
本願発明に係る画像採点システムは、撮影者の生体情報である撮影者情報を検出する生体情報検出部と、撮像指示に応じて画像を撮像する撮像部と、画像と撮影者情報とを対応づけて記憶する記憶部と、撮影者情報に基づいて対応する画像の採点を行う採点部と、採点の結果を表示する表示部と、を備える。
【００１６】
この画像採点システムは、上記の画像採点方法と同様の作用効果を奏する。上記採点部は撮影者情報に基づいて画像の撮影の冷静さを採点してもよい。
【発明の効果】
【００１７】
本発明の画像記録装置は、周囲の環境から物理的に観測可能な情報である環境情報と画像とを対応づけて記憶する。この環境情報を参照すれば、画像を撮影した時の状況の想起が容易になり、思い出深い画像記録を行うことができる。また、この環境情報に基づき、画像の整理・分類・検索が容易となる。
【００１８】
また、本発明の画像記録装置は、撮影者の生体情報である撮影者情報を画像と対応づけて記憶する。この撮影者情報を参照すれば、画像撮影時の撮影者の状態の想起が容易となる。
【発明を実施するための最良の形態】
【００１９】
以下、添付した図面を参照し本発明の好ましい実施の形態を説明する。
【００２０】
＜第１実施形態＞
［概略構成］
図１は本発明の好ましい第１の実施形態に係るデジタルカメラ２００ａの機能ブロック図である。同図において、中央処理装置（ＣＰＵ）１１２は、シャッタボタン１０２、モード切替えレバー１０６等の各種のボタンや、十字キー、メニュー／実行ボタン、キャンセル／戻るボタン、表示ボタン、シフトボタン、表示切換ボタン、拡大表示ボタン、並びにＡＥロックの指示を入力するＡＥ固定ボタン等からなる操作部１５７からの入力に基づいてデジタルカメラ２００ａ内の各回路を統括制御する。
【００２１】
カメラ２００ａは、環境情報センサ１５１ａ、ＧＰＳ装置１５９、ジャイロセンサ１５８を備えている。環境情報センサ１５１ａは、カメラ２００ａの周囲の環境から物理的に測定可能な情報（以下環境情報という）を検知するセンサである。例えば、環境情報センサ１５１ａは、温度センサ、湿度センサ、気圧センサ、照度センサ、放射線センサ、磁界センサ、気圧センサ、風速センサ、雨量センサ、風向センサ、あるいはこれらの一部又は全部の組み合わせで構成され、温度、湿度、気圧、照度、放射線強度、磁界強度、風速、雨量、風向あるいはこれらの一部又は全部の組み合わせを環境情報として検知する。環境情報センサ１５１ａは、周囲の環境から物理的に測定可能な情報を検出できれば上述の構成に限定されない。環境情報センサ１５１ａは、その他物理的に測定可能な情報を検出するセンサを備えてもよい。例えば、カメラ２００ａの振動を検出する振動センサ、カメラ２００ａの移動加速を検出する加速度センサ、シャッタボタン１０２の押圧を検出するポテンショメータなどを含んでいてもよい。環境情報は、撮影された画像とともに記録される。タイマ１５３は現在日時を出力する装置である。
【００２２】
ＧＰＳ（Global Positioning System）装置１５９は、地球の上空を周回している複数のＧＰＳ衛星から同時に発信される電波を、内蔵されたアンテナにより受信する。そして、それぞれの衛星から発信された電波がＧＰＳ装置１５９に到達するまでの時間差を求めることによって、現在位置情報を求める。ジャイロセンサ１５８は、角度、角速度あるいは角加速度等の角度情報を検出できるセンサであり、例えば角速度センサを正三角柱振動子と圧電セラミックを用いた圧電振動ジャイロセンサにより構成することが可能である。
【００２３】
カメラ２００ａは、インターネットなどのネットワークと有線又は無線接続し、画像やプログラムなどの各種データの送受信を行う通信部１５６を備えている。カメラ２００ａのＣＰＵ１１２は、ニュース情報、為替情報、株価情報、スポーツ情報、政治情報、経済情報、スポーツ情報、芸能情報、天気情報など、ネットワーク経由で配信される各種情報である配信情報を、通信部１５６を介して所定のネットワークリソースから取得する取得部１１２ｂを有している。取得部１１２ｂは、取得する配信情報のジャンル、取得する配信情報の配信日時など、取得すべき配信情報を指定する情報である指定情報の入力を操作部１５７から受け付け、入力された指定情報に適合する配信情報だけを取得するようにしてもよい。この指定情報は、配信情報を検索するキーワードやジャンルなどである。
【００２４】
カメラ２００ａは、音声コントローラ１５２、スピーカ１５４、マイク１５５を備えている。音声コントローラ１５２は、音声データを２チャンネルステレオ信号などのアナログオーディオ信号へ変換し、アナログオーディオ信号をスピーカ１５４に出力し、スピーカ１５４はこの信号に従って音声を出力する。音声コントローラ１５２はノイズとなる高い周波数成分をアナログオーディオ信号から除去する処理やアナログオーディオ信号を増幅する処理を行なってもよい。音声コントローラ１５２は、２チャンネルステレオ以外のモノラル音声などに対応させてもよい。
【００２５】
マイク１５５は、撮影者の発する音声を良好に集音できる位置（ファインダー近辺など）に設けられており、画像に対応づける音声メモなどを入力する。音声コントローラ１５２は、マイク１５５から入力された音声をデジタル音声データに変換し、音声ファイルとしてメモリ１２８に出力する。あるいは音声コントローラ１５２は、マイク１５５に入力された音声から発話内容を認識して文字データファイル（テキストファイル）に変換して出力する機能も有している。音声コントローラ１５２が音声ファイルを出力するか、あるいは文字データを出力するかは、操作部１５７から「音声ファイル出力モード」又は「テキストファイル出力モード」のいずれかを選択することで指定できる。音声コントローラ１５２が出力した音声ファイル又はテキストファイルには、一意的なファイル名が付与される。以下これらのファイル名を音声ＩＤという。なお、音声メモの入力は、シャッタボタン１０２を半押しする前に予め行う。
【００２６】
いま、モード切替えレバー１０６によって撮影モードが設定されると、ＣＰＵ１１２は、動画（スルー画）を画像表示装置１１０に表示させ、撮影画角を確認可能にする。即ち、絞り１１６及び撮影レンズ１１８を通過した被写体光は、撮像素子（ＣＣＤ）１２０の受光面上に結像する。ＣＣＤ１２０は、受光面に結像された被写体光をその光量に応じた量の信号電荷に変換する。このようにして蓄積された信号電荷は、ＣＰＵ１１２の指令に従いタイミングジェネレータ１２１から与えられる駆動パルスに基づいて信号電荷に応じた電圧信号（画像信号）として順次読み出される。
【００２７】
ＣＣＤ１２０から出力された信号はアナログ処理部（ＣＤＳ／ＡＭＰ）１２２に送られ、ここで画素ごとのＲ，Ｇ，Ｂ信号がサンプリングホールド（相関二重サンプリング処理）され、増幅された後、Ａ／Ｄ変換器１２４に加えられる。Ａ／Ｄ変換器１２４によってデジタル信号に変換された点順次のＲ，Ｇ，Ｂ信号は、画像入力コントローラ１２６を介してメモリ（ＳＤＲＡＭ）１２８に記憶される。尚、メモリ１２８は、画像データの一時記憶領域として利用されるとともに、プログラムの展開領域及びＣＰＵ１１２の演算作業用領域として利用される。
【００２８】
画像信号処理回路１３０は、メモリ１２８に記憶されたＲ，Ｇ，Ｂ信号をＣＰＵ１１２の指令に従って処理する。即ち、画像信号処理回路１３０は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含む画像処理手段として機能し、ＣＰＵ１１２からのコマンドに従ってメモリ１２８を活用しながら所定の信号処理を行う。
【００２９】
画像信号処理回路１３０に入力されたＲ、Ｇ、Ｂ信号は、輝度信号（Ｙ信号）及び色差信号（Ｃr,Ｃb 信号）に変換されるとともに、ガンマ補正等の所定の処理が施される。画像信号処理回路１３０で処理されたＹＣ信号はＶＲＡＭ１３２に格納される。
【００３０】
撮影画像を画像表示装置１１０にモニタ出力する場合、ＶＲＡＭ１３２からＹＣ信号が読み出され、ビデオエンコーダ１３４に送られる。ビデオエンコーダ１３４は、入力されたＹＣ信号を表示用の所定方式の信号（例えば、ＮＴＳＣ方式のカラー複合映像信号）に変換して画像表示装置１１０に出力する。
【００３１】
所定のフレームレートで処理された各フレームのＹＣ信号は、ＶＲＡＭ１３２のＡ領域とＢ領域とに交互に書き込まれ、ＶＲＡＭ１３２のＡ領域及びＢ領域のうち、ＹＣ信号が書き込まれている方の領域以外の領域から、書き込まれているＹＣ信号が読み出される。このようにしてＶＲＡＭ１３２内のＹＣ信号が定期的に書き換えられ、そのＹＣ信号から生成される映像信号が画像表示装置１１０に供給されることにより、撮像中の映像がリアルタイムに画像表示装置１１０に表示される。ユーザは、画像表示装置１１０に表示される映像（スルー）によって撮影画角を確認できる。
【００３２】
ここで、シャッタボタン１０２が半押しされると、ＡＥ及びＡＦ処理が開始される。即ち、ＣＣＤ１２０から出力された画像信号はＡ／Ｄ変換後に画像入力コントローラ１２６を介してＡＦ検出回路１３６並びにＡＥ／ＡＷＢ検出回路１３８に入力される。
【００３３】
ＡＥ／ＡＷＢ検出回路１３８は、１画面を複数のエリア（例えば、１６×１６）に分割し、分割エリアごとにＲＧＢ信号を積算する回路を含み、その積算値をＣＰＵ１１２に提供する。ＣＰＵ１１２は、ＡＥ／ＡＷＢ検出回路１３８から得た積算値に基づいて被写体の明るさ（被写体輝度）を検出し、撮影に適した露出値（撮影ＥＶ値）を算出する。求めた露出値と所定のプログラム線図に従い、絞り値とシャッタースピードが決定され、これに従いＣＰＵ１１２はタイミングジェネレータ１２１を介してＣＣＤ１２０の電子シャッタを制御するとともに、モータドライバ１４０を介して絞り１１６を制御して適正な露光量を得る。
【００３４】
また、ＡＥ／ＡＷＢ検出回路１３８は、自動ホワイトバランス調整時には、分割エリアごとにＲＧＢ信号の色別の平均積算値を算出し、その算出結果をＣＰＵ１１２に提供する。ＣＰＵ１１２は、Ｒの積算値、Ｂの積算値、Ｇの積算値を得て、分割エリアごとにＲ／Ｇ及びＢ／Ｇの比を求め、これらＲ／Ｇ、Ｂ／Ｇの値のＲ／Ｇ、Ｂ／Ｇの色空間における分布等に基づいて光源種判別を行い、判別された光源種に適したホワイトバランス調整値に従って、例えば、各比の値がおよそ１（つまり、１画面においてＲＧＢの積算比率がＲ：Ｇ：Ｂ≒１：１：１）になるように、ホワイトバランス調整回路のＲ，Ｇ，Ｂ信号に対するゲイン値（ホワイトバランス補正値）を制御し、各色チャンネルの信号に補正をかける。
【００３５】
また、ＡＦ制御は、例えば画像信号のＧ信号の高周波成分が極大になるように撮影レンズ１１８を移動させるコントラストＡＦが適用される。即ち、ＡＦ検出回路１３６は、Ｇ信号の高周波成分のみを通過させるハイパスフィルタ、絶対値化処理部、画面内（例えば、画面中央部）に予め設定されているフォーカス対象エリア内の信号を切り出すＡＦエリア抽出部、及びＡＦエリア内の絶対値データを積算する積算部から構成される。
【００３６】
ＡＦ検出回路１３６で求めた積算値のデータはＣＰＵ１１２に通知される。ＣＰＵ１１２は、モータドライバ１４２を制御して撮影レンズ１１８を移動させながら、複数のＡＦ検出ポイントで焦点評価値（ＡＦ評価値）を演算し、評価値が極大となるレンズ位置を合焦位置として決定する。そして、求めた合焦位置に撮影レンズ１１８を移動させるようにモータドライバ１４２を制御する。尚、ＡＦ評価値の演算はＧ信号を利用する態様に限らず、輝度信号（Ｙ信号）を利用してもよい。
【００３７】
上記ＡＥ／ＡＦ処理が行われ、シャッタボタン１０２が全押しされることによって記録用の撮影動作がスタートする。Ｓ２オンに応動して取得された画像データは画像信号処理回路１３０において輝度／色差信号（Ｙ／Ｃ信号）に変換され、ガンマ補正等の所定の処理が施された後、メモリ１２８に格納される。
【００３８】
メモリ１２８に格納されたＹ／Ｃ信号は、圧縮伸長処理回路１４４によって所定のフォーマットに従って圧縮された後、メディアコントローラ１４６を介して記憶媒体４０にExif（Exchangeable Image File Format）ファイルとして記録される。画像はExifファイルのデータ部分に記録される。カメラ２００にはパノラマスイッチ１０３が設けられており、シャッタボタン１０２の全押し待機中に通常撮影モードとパノラマ撮影モードとを切り替えて撮影を行なうことができる。パノラマ撮影モードがオンのときにシャッタボタン１０２が全押しされると、フルサイズの撮影画面の上下の所定部分を遮光してパノラマサイズにして画像を記録する。
【００３９】
一方、環境情報センサ１５１ａは、シャッタボタン１０２の半押し操作に連動して環境情報をＣＰＵ１１２に出力する。タイマ１５３は、シャッタボタン１０２の半押し操作に連動して現在日時を撮影日時情報としてＣＰＵ１１２に出力する。同様にＧＰＳ装置１５９、ジャイロセンサ１５８も、それぞれシャッタボタン１０２の半押し操作に連動して現在位置情報、角度情報をＣＰＵ１１２に出力する。シャッタボタン１０２の全押し操作に連動して環境情報・撮影日時情報・現在位置情報・角度情報をＣＰＵ１１２に出力してもよい。取得部１１２ｂは、入力が完了した指定情報に従って配信情報をネットワーク経由で取得し、ＣＰＵ１１２に出力する。
【００４０】
ＣＰＵ１１２はシャッタボタン１０２の全押し操作の解除に連動して上記Exifファイルのヘッダ部分の所定のタグ（Imagedescriptionタグなど）に環境情報・撮影日時情報・配信情報・現在位置情報・角度情報、音声ＩＤを記録する。図２はExifファイルに記録された内容を概念的に示している。Exifファイルのヘッダ部分には画像を所定の縮小率で縮小したサムネイル画像も記録される。Exifファイルにより、画像と環境情報、配信情報、角度情報、撮影日時情報、音声ＩＤとが対応する。Exifファイルのヘッダ部分に画像と対応づけて記録される情報を画像付帯情報と表す。画像付帯情報は、環境情報、配信情報、角度情報、撮影日時情報又は音声ＩＤ並びにこれらの一部又は全部の組み合わせを含むが、これらに限定されない。また、画像付帯情報の識別情報（音声ＩＤなど）だけをExifファイルのヘッダ部分に記録するようにしてもよい。こうすれば、画像付帯情報のデータサイズが大きくても画像と画像付帯情報とを対応づけることができる。
【００４１】
モード切替えレバー１０６により再生モードが選択されると、記憶媒体４０に記録されている最終の画像ファイル（最後に記録されたファイル）の圧縮データが読み出される。最後の記録に係るファイルが静止画ファイルの場合、この読み出された画像圧縮データは、圧縮伸長処理回路１４４を介して非圧縮のＹＣ信号に伸長され、ＶＲＡＭ１３２に保存される。ＶＲＡＭ１３２に保存されたＹＣ信号は、ビデオエンコーダ１３４に加えられる。ビデオエンコーダ１３４は、入力するＹＣ信号からＮＴＳＣ方式のカラー複合映像信号を作成し、これを画像表示装置１１０に出力する。これにより、画像表示装置１１０には記憶媒体４０に記録されている最終コマのコマ画像が表示される。
【００４２】
その後、順コマ送りスイッチ（図示せず）が押されると、順方向にコマ送りされ、逆コマ送りスイッチ（図示せず）が押されると、逆方向にコマ送りされる。そして、コマ送りされたコマ位置の画像ファイルが記憶媒体４０から読み出され、上記と同様にしてコマ画像が画像表示装置１１０に再生される。尚、最終コマのコマ画像が表示されている状態で順方向にコマ送りされると、記憶媒体４０に記録されている１コマ目の画像ファイルが読み出され、１コマ目のコマ画像が画像表示装置１１０に再生される。
【００４３】
なお、Exifファイルの画像は撮像素子１２０から得られた画像に限る必要はなく、通信部１５６から受信したもの、あるいは図示しないスキャナ、ファイル読取／記録装置その他の画像記録装置が記録したものでもよい。カメラ２００ａは、いわゆるカメラ付き携帯電話機の内蔵カメラとして携帯電話機に内蔵されたものであってもよい。
【００４４】
［処理の流れ］
以下、図３のフローチャートに従い、カメラ２００ａの実行する画像検索処理の流れを説明する。画像検索処理では、Exifファイルに記録された画像付帯情報に基づいて画像の検索が行われる。
【００４５】
Ｓ１では、操作部１５７から画像の検索条件となる画像付帯情報の入力を受け付ける。Ｓ２では、ＣＰＵ１１２の検索部１１２ａは、操作部１５７から入力された画像付帯情報に基づいてExifファイルを検索する。即ち、検索部１１２ａは、操作部１５７から入力された画像付帯情報と、記憶媒体４０に記憶されるExifファイルの所定のタグに記録された画像付帯情報とを比較し、入力された画像付帯情報と合致する画像付帯情報を記録したExifファイルを特定する。
【００４６】
Ｓ３では、ＣＰＵ１１２は、検索（特定）したExifファイルのデータ部分に記録されている画像を画像表示装置１１０に表示する。図４では、操作部１５７から画像付帯情報として入力された環境情報「温度２０℃、湿度５０％、照度２，０００ルクス」と合致する環境情報を記録したExifファイルに記録された画像が表示されている例を示している。この図に示すように、Exifファイルに記録された画像Ｉ１と環境情報Ｉ２の両方を画像表示装置１１０に表示してもよい。無論、特定されたExifファイルに記録されたその他の画像付帯情報（撮影日時情報など）を表示してもよく、これらの画像付帯情報を撮影者が参照すれば撮影時の状況を容易に想起できる。
【００４７】
以上の処理により、画像に対応してExifファイルに記録された画像付帯情報に基づいて画像を検索することができ、所望の画像を容易に探し出すことができ、画像の整理・分類も容易になる。特に、環境情報に基づいて画像を検索することで、自然現象を撮影した画像について自然現象の整理・分類が容易となる。
【００４８】
なお、Exifファイルには、環境情報及び配信情報や音声ＩＤが記録されているため、後日画像を鑑賞する際に、その環境情報及び配信情報や音声ＩＤに対応する音声の内容を参照すれば、撮影者が撮影時の状況を容易に想起でき、思い出深い画像記録が可能になる。また、各撮影場所で記録された画像と環境情報のうち気象に関する情報（温度、湿度、気圧、風速、風向、雨量など）とを対応させて地図上で整理すれば、時々刻々変化する気象とそのときの撮影場所の状況を対応させて管理することができ、災害予防に役立てることができる。
【００４９】
＜第２実施形態＞
［概略構成］
図５は本発明の好ましい第２の実施形態に係るデジタルカメラ２００ｂの機能ブロック図である。このカメラ２００ｂは、第１の実施形態に係るカメラ２００ａと異なり、環境情報センサ１５１ａを備えておらず、代わりに撮影者の生体情報を測定する撮影者情報センサ１５１ｂを備えている。その他の構成は第１の実施形態に係るデジタルカメラ２００ａと同様であるので詳細は省略する。無論、カメラ２００ｂは環境情報センサ１５１ａと撮影者情報センサ１５１ｂの両方を備えてもよい。カメラ２００ｂは検索部１１２ａ、ＧＰＳ装置１５９、ジャイロセンサ１５８を備えていないが、これらを備えていてもよい。
【００５０】
撮影者情報センサ１５１ｂは、カメラ２００ｂを操作する撮影者から物理的に測定可能な生体情報（以下撮影者情報という）を取得するセンサである。例えば、撮影者情報センサ１５１ｂは、体温センサ、脈拍センサ、血圧センサ、虹彩センサ、指紋センサ、発汗センサ（発汗・涙等を検知する）、脳波センサあるいはこれらの一部又は全部の組み合わせで構成され、体温、脈拍、血圧、脳波、虹彩・指紋形状あるいはこれらの一部又は全部の組み合わせを撮影者情報として取得する。撮影者情報センサ１５１ｂは、撮影者の身体から物理的に測定可能な生体情報を取得できれば上述の構成に限定されない。
【００５１】
撮影者情報センサ１５１ｂは、シャッタボタン１０２の半押し操作に連動して撮影者情報をＣＰＵ１１２に出力する。ＣＰＵ１１２はシャッタボタン１０２の全押し操作の解除に連動して上記Exifファイルのヘッダ部分の所定のタグ（Imagedescriptionタグなど）に撮影者情報を記録する。即ち、撮影者情報も上述の画像付帯情報の一例に含まれる。
【００５２】
カメラ２００ｂは、集計センター３００と接続すれば、撮影時の撮影者の冷静さを競う撮影ゲームに使用することができる。以下、図６のフローチャートに従い、カメラ２００ｂを利用した撮影ゲームの流れを説明する。
【００５３】
カメラ２００ｂを持参した撮影者は、迷路、ジェットコースター、お化け屋敷、ボートによる水路の通行など、一定の行程を撮影者が巡回・通過して楽しむ施設内の所定位置に設置された１又は複数の撮影ターゲットをカメラ２００ｂのシャッタボタン１０２の半押し操作／全押し操作で撮影する（Ｓ１１）。記憶媒体４０には、撮影ターゲットの画像と撮影者情報がExifファイルに記録される。図７では、施設の一例である迷路の分岐点で撮影者Ｐが分岐点を示すチェックポイントを撮影ターゲットＴとしてカメラ２００ｂで撮影している様子を示している。
【００５４】
撮影者は、施設の巡回・通過中に遭遇した撮影ターゲットＴを順次撮影し、これを施設の巡回行程が終了するまで繰り返す（Ｓ１２）。
【００５５】
施設の巡回・通過が終了すると、撮影者は、操作部１５７に所定操作を行い、記憶媒体４０に記憶された全てのExifファイルを、通信部１５６を介して集計センター３００に送信する（Ｓ１３）。パソコンで構成された集計センター３００と通信部１５６の接続はＵＳＢ接続などの各種接続形態であってもよい。集計センター３００に記憶媒体４０を持参し、この記憶媒体４０から集計センター３００Exifファイルを読み込んでもよい。
【００５６】
集計センター３００の採点部３０１は、カメラ２００ｂから受信したExifファイルに記録されている撮影者情報に基づいて該撮影者情報に対応する画像の採点を行う（Ｓ１４）。採点は次のように行う。採点部３０１は、撮影ターゲットＴの撮影画像とともに記録されている撮影者情報に基づいて、該撮影者情報に対応する画像の撮影時における撮影者の冷静さの度合、言い換えると動揺の度合を「冷静度」として得点化する。例えば、撮影者情報に含まれる血圧、脈拍、発汗、体温の値が小さければそれだけ多く加点する。一方、採点部３０１は、撮影者情報に基づいて、該撮影者情報に対応する画像の撮影の正確さを得点化する。例えば、ジャイロセンサ１５８で検出される傾きが略所定の角度（例えば０℃、いわゆる横撮りあるいは９０℃、いわゆる縦撮り）の場合や、加速度センサの検出した加速度が略０即ち手ブレがない場合は正確度が高くなるように採点する。
【００５７】
なお、撮影ターゲットの撮影位置の適切さ、撮影ターゲットの撮影サイズやピント合わせの適切さなどを、集計センター３００の集計スタッフが目視で確認して「正確度」として得点化してもよい。同一の迷路のチェックポイントが撮影された画像の数に応じて加点を行い、同じチェックポイントが繰り返し撮影されていなければ迷路に迷っていないとみなして多く加点してもよい。
【００５８】
採点部３０１は、カメラ２００ｂから受信した全ての画像について採点を行い、各画像の得点を合計し、合計した総得点を採点結果として採点を終える。採点が終わると、集計センター３００からカメラ２００ｂに採点結果を送信する。カメラ２００ｂは、採点結果を通信部１５６で受信すると、これを画像表示装置１１０に表示する（Ｓ１５）。液晶モニタなどで構成される集計センター３００の表示部３０２で採点結果を表示してもよい。
【００５９】
以上説明したように、本実施形態のカメラ２００ｂは、画像に撮影者情報を対応させてExifファイルに記録するが、このExifファイルに記録された撮影者情報を上述のような撮影ゲームの採点に利用できる。撮影者情報に基づいて撮影時の冷静さ・撮影の正確さを得点化して画像の採点を行えば、撮影の困難な状況下でより冷静・正確に撮影を行った撮影者により多い点数を与えて景品の提供などを行うことができる。
【図面の簡単な説明】
【００６０】
【図１】第１実施形態に係るデジタルカメラのブロック図
【図２】Ｅｘｉｆファイルに記録される内容を例示した図
【図３】画像検索処理の流れを示すフローチャート
【図４】環境情報で特定された画像の表示例を示す図
【図５】第２実施形態に係るデジタルカメラのブロック図
【図６】撮影ゲームの流れを示すフローチャート
【図７】撮影ゲームの一例を示す図
【符号の説明】
【００６１】
１５１ａ：環境情報センサ、１５１ｂ：撮影者情報センサ、１１２ａ：検索部、１１２ｂ：取得部、３００：集計センター、３０１：採点部
【図１】
2006086823.tif 000003
【図２】
2006086823.tif 000004
【図３】
2006086823.tif 000005
【図４】
2006086823.tif 000006
【図５】
2006086823.tif 000007
【図６】
2006086823.tif 000008
【図７】
2006086823.tif 000009